(57)【要約】【課題】一定の力で引戸を開くことができる引戸装置を提供する。【解決手段】本発明にかかる引戸装置１は、上枠（枠）３に設けたガイド溝５ａと、引戸７に設けた被ガイド部１１と、圧縮ばね（ばね）１３とを備え、圧縮ばね（ばね）１３は、被ガイド部１１をガイドに押圧する方向に付勢しており、被ガイド部１１がガイド溝５ａを開き方向に移動して付勢力を蓄積するものであり、ガイド溝５ａは、引戸７の開き方向の傾斜を、引戸７を開くにしたがって緩やかにしてある。【選択図】図１
2020063642.tif 000002
【特許請求の範囲】
【請求項１】
枠に設けたガイドと、引戸に設けた被ガイド部と、ばねとを備え、ばねは、被ガイド部をガイドに押圧する方向に付勢しており、被ガイド部がガイドを開き方向に移動して付勢力を蓄積するものであり、ガイドは、引戸の開き方向の傾斜を、引戸を開くにしたがって緩やかにしてあることを特徴とする引戸装置。
【発明の詳細な説明】
【技術分野】
【０００１】
本発明は、引戸装置に関する。
【背景技術】
【０００２】
特許文献１には、引戸が開いている状態から引戸を閉じ方向に所定位置まで移動すると、蓄積していたばねの付勢力を利用して引戸を自動的に閉じることができる引戸装置が開示されている。
【先行技術文献】
【特許文献】
【０００３】
【特許文献１】特開２００８−２０８５８６号公報
【発明の概要】
【発明が解決しようとする課題】
【０００４】
従来の引戸装置は、引戸を開くときにばねの付勢力を蓄積する必要があるが、付勢力の蓄積に伴って次第に引戸を開く力が大きくなるという問題があった。
【０００５】
そこで、本発明は、一定の力で引戸を開くことができる引戸装置の提供を目的とする。
【課題を解決するための手段】
【０００６】
請求項１に記載の発明は、枠に設けたガイドと、引戸に設けた被ガイド部と、ばねとを備え、ばねは、被ガイド部をガイドに押圧する方向に付勢しており、被ガイド部がガイドを開き方向に移動して付勢力を蓄積するものであり、ガイドは、引戸の開き方向の傾斜を、引戸を開くにしたがって緩やかにしてあることを特徴とする引戸装置である。
【発明の効果】
【０００７】
請求項１に記載の発明によれば、引戸の開き方向におけるガイドの傾斜は、引戸を開くにしたがって緩やかにしてあるため、ガイドの傾斜が一定の場合に比べて、被ガイド部が傾斜を移動して付勢力を蓄積するときに蓄積する力を次第に小さくできるから、引戸を一定の力で開くことができる。
【図面の簡単な説明】
【０００８】
【図１】第１実施形態にかかる引戸装置であって、図５のＦ−Ｆ断面図である。
【図２】図１に示すＢ部の拡大図である。
【図３】第１実施形態にかかる引戸装置の開き動作を説明する図であり、（ａ）は引戸が全閉状態、（ｂ）全閉状態から少し開いた状態、（ｃ）は（ｂ）の場合よりもさらに引戸を開いた状態の図である。
【図４】第１実施形態にかかる引戸装置の閉じ動作を説明する図であり、（ａ）は引戸を所定位置まで閉じた状態、（ｂ）は引戸を閉じきる直前の状態、（ｃ）は引戸が全閉状態にある図である。
【図５】第１実施形態にかかる引戸装置であり、図６のＡ−Ａ断面図である。
【図６】第１実施形態にかかる引戸装置の外観を示す正面図である。
【図７】第２実施形態にかかる引戸装置であって、図１に対応する断面図についてガイド部材を拡大して示す図である。
【図８】第３実施形態にかかる引戸装置であって、図１に対応する断面図である。
【図９】第３実施形態にかかる引戸装置の開き動作を説明する図であり、（ａ）は引戸が全閉状態、（ｂ）全閉状態から少し開いた状態、（ｃ）は（ｂ）の場合よりもさらに引戸を開いた状態の図である。
【図１０】第３実施形態にかかる引戸装置の閉じ動作を説明する図であり、（ａ）は引戸を所定位置まで閉じた状態、（ｂ）は引戸を閉じきる直前の状態、（ｃ）は引戸が全閉状態にある図である。
【図１１】第４実施形態にかかる引戸装置であって、図１に対応する断面図である。
【図１２】図１１に示すＣ部の拡大図である。
【図１３】第４実施形態にかかる引戸装置の開き動作を説明する図であり、（ａ）は引戸が全閉状態、（ｂ）全閉状態から少し開いた状態、（ｃ）は（ｂ）の場合よりもさらに引戸を開いた状態の図である。
【図１４】第４実施形態にかかる引戸装置の閉じ動作を説明する図であり、（ａ）は引戸を所定位置まで閉じた状態、（ｂ）は引戸を閉じきる直前の状態、（ｃ）は引戸が全閉状態にある図である。
【図１５】第５実施形態にかかる引戸装置であって、図１に対応する断面図である。
【発明を実施するための形態】
【０００９】
以下に、本発明の実施形態を説明するが、まず、添付図面の図１〜図６を参照して本発明の第１実施形態を説明する。
図１及び図６に示すように、本発明の第１実施形態にかかる引戸装置１は、壁面２の開口部に設けられており、上枠（枠）３と、ガイド部材５と、引戸７と、付勢力蓄積機構９とを備えている。
図１に示すように、ガイド部材５は、上枠３に設けてある。
図５及び図６に示すように、ガイド部材５はその室内側がガイドカバー２５で覆われている。
ガイドカバー２５は上枠３にねじ４１ａで取付けてある。
図１に示すように、ガイド部材５は、後述する被ガイド部１１が移動するガイド溝５ａを有する。ガイド溝５ａは、引戸７の開き方向に向かって上り坂の傾斜であるガイド下面５ｂ及びガイド上面５ｃを有している。第１実施の形態では、ガイド下面５ｂが、被ガイド部１１が移動するガイドである。
図２に示すように、ガイド下面５ｂは、引戸７の開き方向の傾斜を引戸７を開くにしたがって緩やかにしてある。具体的に説明すると、ガイド下面５ｂは、ガイド下面５ｂのＡ０で示す位置（最下部）からガイド下面５ｂのＡ１１で示す位置（最上部）まで、多段階で傾斜している（各々α１〜α１１は異なる角度）。Ａ１〜Ａ１０は、傾斜角度が切り換わる位置を示している。例えば、Ａ０〜Ａ１の傾斜角度α１が３０度、Ａ１〜Ａ２の傾斜角度α２が２９度、Ａ２〜Ａ３の傾斜角度α３が２８度、…、Ａ１０〜Ａ１１の傾斜角度α１１が２０度であり、１度ずつ１１段階でガイド下面５ｂの傾斜が緩やかにしてある。
【００１０】
図６に示すように、引戸７には、取手７ａが取付けてある。
図１に示すように、引戸７には、付勢力蓄積機構９を引戸７に設置するための空間である設置部７ｂが形成されている。
付勢力蓄積機構９は、引戸７の上面にねじ４１ｂで固定してある。
付勢力蓄積機構９は、被ガイド部１１と、可動軸部２１と、圧縮ばね（ばね）１３と、付勢力保持部１５と、連結部材１６と、ダンパ１７とを備える。
図５に示すように、被ガイド部１１は台座１９にボルト４３ａ及びナット４５ａで回転自在に取付けてあり、台座１９は可動軸部２１の上端にねじ４７で取付けてある。
被ガイド部１１は、引戸７の開閉動作による引戸７の移動に伴ってガイド溝５ａ内を移動可能にガイド溝５ａに係合してある。被ガイド部１１は、例えばローラーである。
図１に示すように、可動軸部２１は、被ガイド部１１のガイド溝５ａの移動に伴って上下に移動自在にしてある。
圧縮ばね１３は、被ガイド部１１をガイド下面５ｂに押圧する方向（下方向）に付勢しており、被ガイド部１１が開き方向に移動した場合に付勢力を蓄積する。圧縮ばね１３の上端は、ばね固定部１３ａに固定してあり、圧縮ばね１３の下端はばね圧縮部１３ｂに固定してある。
ばね圧縮部１３ｂは可動軸部２１に固定してあり、可動軸部２１の上下移動に連動して上下に移動する。ばね圧縮部１３ｂが上方向に移動した時には、圧縮ばね１３は縮んで付勢力を蓄積する。
付勢力保持部１５は、可動軸部２１及び連結部材１６に取付けられていて可動軸部２１の上下移動に連動して上下移動する可動部１５ｂと、可動部１５ｂに磁力により吸着する吸着部１５ａとを有する。
可動部１５ｂは例えばネオジム磁石であり、吸着部１５ａは磁性材料で形成してあると共に可動軸部２１を挿通して移動自在としてある。
連結部材１６は、可動部１５ｂと後述するダンパ１７のピストンロッド１７ａとを連結している。
ダンパ１７は、ピストンロッド１７ａと、ピストンロッド１７ａが摺動するシリンダ１７ｂとを備えている。ピストンロッド１７ａは、ボルト４３ｂ及びナット４５ｂで連結部材１６に取付けてあり、可動部１５ｂの上下移動（圧縮ばね１３の伸縮）に連動して上下移動することでシリンダ１７ｂに出入りする。ダンパ１７は、ピストンロッド１７ａがシリンダ１７ｂに入り込む（上方向に移動する）際は無抵抗で移動し、シリンダ１７ｂから出る（下方向に移動する）際は抵抗を受けながら移動するように構成してある。
ダンパ１７は、例えば油圧式ダンパである。
【００１１】
次に、引戸７の開閉動作について、開き動作及び閉じ動作に分けて説明する。まず、開き動作について説明する。  
図３（ａ）に示すように、引戸７が全閉状態にあるとき、圧縮ばね１３は付勢力を放出して伸びた状態になっている。
全閉状態から引戸７を開き方向（戸尻側）に移動していくと、被ガイド部１１はガイド下面５ｂに接しながら傾斜を上っていく。図３（ｂ）の一点鎖線で抜き出した部分に示すように、被ガイド部１１がガイド下面５ｂの最上部近傍に移動するまでの間、被ガイド部１１は圧縮ばね１３によりガイド下面５ｂに圧接して移動する。被ガイド部１１が開き方向に移動する際にはガイド下面５ｂのみに圧接するので、被ガイド部１１とガイド上面５ｃとの間には僅かな隙間Ｓ１１が生じている。
この被ガイド部１１の移動に伴ってばね圧縮部１３ｂが上方向に移動して圧縮ばね１３を圧縮していくことで圧縮ばね１３は付勢力を蓄積していく。同時に、付勢力保持部１５の可動部１５ｂは、付勢力保持部１５の吸着部１５ａに近づいていく。さらに、ダンパ１７のピストンロッド１７ａは上方向に無抵抗で移動してシリンダ１７ｂに入り込んでいく。
図３（ｂ）に示すように、引戸７をさらに戸尻側に移動していき、被ガイド部１１がガイド下面５ｂの最上部近傍に差し掛かると、付勢力保持部１５の可動部１５ｂが付勢力保持部１５の吸着部１５ａに接触し、吸着部１５ａが可動部１５ｂに磁力により吸着する。これにより、吸着部１５ａ及び可動部１５ｂは圧縮ばね１３に蓄積した付勢力を保持する。
図３（ｃ）に示すように、引戸７を図３（ｂ）に示す位置よりもさらに戸尻側に移動しても可動部１５ｂと吸着部１５ａとの吸着状態は維持しており、圧縮ばね１３に蓄積されている付勢力を保持する。
更に引戸７を開いていくと、圧縮ばね１３は蓄積された付勢力を保持した状態で開き方向に移動する。
【００１２】
次に、閉じ動作について説明する。  
図４（ａ）に示すように、全開状態から全閉状態の手前の状態、即ち被ガイド部１１がガイド溝５ａに差し掛かる手前の状態では、可動部１５ｂと吸着部１５ａとの吸着状態は維持しており、圧縮ばね１３に蓄積されている付勢力を保持する。
図４（ｂ）に示すように、被ガイド部１１がガイド溝５ａに差し掛かる手前の状態から、引戸７を閉じ方向（戸先側）に移動していくと、図４（ｂ）の一点鎖線で抜き出した部分に示すように、被ガイド部１１がガイド上面５ｃの最上部近傍に接するようになる。このとき、被ガイド部１１とガイド下面５ｂとの間には僅かな隙間Ｓ１２が生じている。
そして、引戸７をさらに閉じ方向に移動すると、被ガイド部１１がガイド上面５ｃに押されて可動軸部２１を下方向に移動し、可動部１５ｂが吸着部１５ａに対して押され、可動部１５ｂが吸着部１５ａから離れて（図４（ｃ）参照）吸着状態が解除され、圧縮ばね１３に蓄積してある付勢力が解放される。そして、解放された付勢力により、ばね圧縮部１３ｂ、可動軸部２１及び可動部１５ｂが下方向に移動する。これにより、被ガイド部１１はガイド下面５ｂに沿って閉じ方向に移動するため、引戸７は圧縮ばね１３の蓄積された付勢力により自動的に閉じ方向に移動していく。このとき、ダンパ１７では、ピストンロッド１７ａが抵抗を受けながら下方向に移動してシリンダ１７ｂから出ていくため、ダンパ７の緩衝により引戸７は緩やかに閉じ方向に移動して閉じる。
図４（ｃ）に示すように、被ガイド部１１がガイド下面５ｂの最下部まで移動してきたとき、引戸７は全閉状態になる。このとき、圧縮ばね１３は付勢力を放出して伸び切った状態になる。
【００１３】
第１実施形態にかかる引戸装置の作用効果について説明する。
図２に示すように、ガイド溝５ａのガイド下面５ｂの傾斜は、引戸７を開くにしたがって緩やかにしてあるため、ガイド下面５ｂの傾斜が一定の場合に比べて、圧縮ばね１３が付勢力を蓄えつつ、引戸７を開き方向に移動する際に、蓄積する力を次第に小さくできるから引戸を一定の力で開くことができる。
【００１４】
図３（ａ）（ｂ）に示すように、引戸７の開き動作において、付勢力蓄積機構９では、可動軸部２１には吸着部１５ａ及び可動部１５ｂを有する付勢力保持部１５が設けられており、可動部１５ｂはばね圧縮部１３ｂの移動に連動して吸着部１５ａに近づいていき、磁力により吸着してその状態を保持する。このため、付勢力保持部１５は圧縮ばね１３に蓄積された付勢力を容易に保持することができる。
図４（ｂ）（ｃ）に示すように、引戸７の閉じ動作では、被ガイド部１１がガイド上面５ｃの最上部近傍まで引戸７を閉じ方向に移動すると、可動部１５ｂと吸着部１５ａとが離れて吸着状態が解除され、可動部１５ｂ及び吸着部１５ａ（付勢力保持部１５）によって保持されていた圧縮ばね１３の付勢力を解放するため、解放された付勢力によって引戸７を自動的に閉じ方向に移動して閉じきることができる。
図１に示すように、引戸７に設置されている付勢力蓄積機構９はダンパ１７を備え、引戸７の開き方向及び閉じ方向への移動とピストンロッド１７ａの上下移動は連動しており、引戸７が閉じ方向に移動する際にはピストンロッド１７ａは抵抗を受けながら移動する。このため、解放された圧縮ばね１３の付勢力による引戸７の閉じ方向への移動を緩やかにすることができる。
【００１５】
以下に本発明の他の実施形態を説明するが、以下に説明する実施形態において、上述した第１実施形態と同一の作用効果を奏する部分には同一の符号を付することによりその部分の詳細な説明を省略し、以下の説明では第１実施形態と主に異なる点を説明する。
図７を参照して本発明の第２実施形態を説明する。
第２実施形態では、ガイド下面５ｂ及びガイド上面５ｃは、引戸７の開き方向に向けてしだいに緩やかにしてある上り坂の湾曲形状をしている。第２実施の形態も、ガイド下面５ｂが、被ガイド部１１が移動するガイドである。
この第２実施形態によれば、上述した第１実施形態と同様の作用効果を奏すると共にガイド下面５ｂの傾斜面を湾曲面にしているので、被ガイド部１１の移動を滑らかにできる。
【００１６】
以下に図８〜図１０を参照して本発明の第３実施形態を説明する。
第３実施形態では、第１実施形態の圧縮ばね１３に替えて引張ばね１４が用いられている。この第３実施の形態でも、ガイド下面５ｂが、被ガイド部１１が移動するガイドである。
引張ばね１４は、被ガイド部１１をガイド下面５ｂに押圧する方向（下方向）に付勢しており、被ガイド部１１が開き方向に移動した場合に付勢力を蓄積する。
図８に示すように、引張ばね１４の下端はばね固定部１３ａに取付けてあり、引張ばね１４の上端はばね引張部１４ｂに取付けてある。
連結部材１６は、付勢力保持部１５の吸着部１５ａと引張ばね１４が入れてある筒状部３１とを連結している。
ダンパ１７のピストンロッド１７ａと、可動軸部２１の下端及びばね引張部１４ｂは付勢力保持部１５の可動部１５ｂに取付けてある。
ばね引張部１４ｂは、可動軸部２１の上下移動に連動して上下に移動する。ばね引張部１４ｂが上方向に移動した時には、引張ばね１４は伸びて付勢力を蓄積する。
ダンパ１７は、ピストンロッド１７ａがシリンダ１７ｂから出ていく（上方向に移動する）際は無抵抗で移動し、シリンダ１７ｂに入り込む（下方向に移動する）際は抵抗を受けながら移動するように構成してある。
【００１７】
次に、引戸７の開閉動作について、開き動作及び閉じ動作に分けて説明する。まず、開き動作について説明する。  
図９（ａ）に示すように、引戸７が全閉状態にあるとき、引張ばね１４は付勢力を放出して縮んだ状態になっている。
全閉状態から引戸７を開き方向に移動していくと、被ガイド部１１はガイド下面５ｂに接しながら傾斜を上っていく。図９（ｂ）の一点鎖線で抜き出した部分に示すように、被ガイド部１１がガイド下面５ｂの最上部近傍に移動するまでの間、被ガイド部１１は引張ばね１４によりガイド下面５ｂに圧接して移動する。被ガイド部１１が開き方向に移動する際にはガイド下面５ｂのみに圧接するので、被ガイド部１１とガイド上面５ｃとの間には僅かな隙間Ｓ２１が生じている。
この被ガイド部１１の移動に伴ってばね引張部１４ｂが上方向に移動して引張ばね１４を引っ張ることで引張ばね１４は付勢力を蓄積していく。同時に、付勢力保持部１５の可動部１５ｂは、付勢力保持部１５の吸着部１５ａに近づいていく。さらに、ダンパ１７のピストンロッド１７ａは上方向に無抵抗で移動してシリンダ１７ｂから出ていく。
図９（ｂ）に示すように、引戸７をさらに戸尻側に移動していき、被ガイド部１１がガイド下面５ｂの最上部近傍に差し掛かると、付勢力保持部１５の可動部１５ｂが付勢力保持部１５の吸着部１５ａに接触し、可動部１５ｂが吸着部１５ａに吸着する。これにより、吸着部１５ａ及び可動部１５ｂは引張ばね１４に蓄積した付勢力を保持する。
図９（ｃ）に示すように、引戸７を図９（ｂ）に示す位置よりもさらに戸尻側に移動しても可動部１５ｂと吸着部１５ａとの吸着状態は維持しており、引張ばね１４に蓄積されている付勢力を保持する。
【００１８】
次に、閉じ動作について説明する。  
図１０（ａ）に示すように、全開状態から全閉状態の手前の状態、即ち被ガイド部１１がガイド溝５ａに差し掛かる手前では、可動部１５ｂと吸着部１５ａとの吸着状態は維持しており、引張ばね１４に蓄積されている付勢力を保持する。
図１０（ｂ）に示すように、被ガイド部１１がガイド溝５ａに差し掛かる手前の状態から、引戸７を閉じ方向に移動していくと、図１０（ｂ）の一点鎖線で抜き出した部分に示すように、被ガイド部１１がガイド上面５ｃの最上部近傍に接するようになる。このとき、被ガイド部１１とガイド下面５ｂとの間には僅かな隙間Ｓ２２が生じている。
そして、引戸７をさらに閉じ方向に移動すると、被ガイド部１１がガイド上面５ｃに押されて可動軸部２１を下方向に移動し、可動部１５ｂと吸着部１５ａとが離れて吸着状態が解除され、引張ばね１４に蓄積してある付勢力が解放される。そして、解放された付勢力により、ばね引張部１４ｂ、可動軸部２１及び可動部１５ｂが下方向に移動する。これにより、被ガイド部１１はガイド下面５ｂに沿って閉じ方向に移動するため、引戸７は自動的に閉じ方向に移動していく。このとき、ピストンロッド１７ａは抵抗を受けながら下方向に移動してシリンダ１７ｂに入り込むため、引戸７は緩やかに閉じ方向に移動して閉じる。
図１０（ｃ）に示すように、被ガイド部１１がガイド下面５ｂの最下部まで移動してきたとき、引戸７は全閉状態になる。このとき、引張ばね１４は付勢力を放出して縮んだ状態になる。
この第３実施形態によれば、上述した第１実施形態と同様の作用効果を奏する。
【００１９】
以下に図１１〜図１４を参照して本発明の第４実施形態を説明する。
第４実施形態では、図１１に示すように、引戸７の開き方向に向かって下り坂の傾斜であるガイド下面５ｂ及びガイド上面５ｃを有している。第４実施の形態では、ガイド上面５ｃが、被ガイド部１１が移動するガイドである。
図１２に示すように、ガイド上面５ｃは、引戸７の開き方向の傾斜を引戸７を開くにしたがって緩やかに下げている。具体的に説明すると、ガイド上面５ｃは、Ａ２０で示す位置（最上部）からガイド上面５ｃのＡ３１で示す位置（最下部）まで、多段階で傾斜している（各々α２０〜α３０は異なる角度）。Ａ２１〜Ａ３０は、傾斜角度が切り換わる位置を示しており、例えばＡ２０〜Ａ２１の傾斜角度α２０を３０度、Ａ２１〜Ａ２２の傾斜角度α２１が２９度、Ａ２２〜Ａ２３の傾斜角度α２２が２８度、…、Ａ３０〜Ａ３１の傾斜角度α３０が２０度であり、１度ずつ１１段階でガイド上面５ｃの傾斜を緩やかに下げている。
圧縮ばね１３は、被ガイド部１１をガイド上面５ｃに押圧する方向（上方向）に付勢しており、ばね圧縮部１３ｂが下方向に移動した時、圧縮ばね１３は縮んで付勢力を蓄積する。
付勢力保持部１５の可動部１５ｂには、可動軸部２１の下端及びピストンロッド１７ａが固定されている。
連結部材１６には吸着部１５ａがボルト４３ｂ及びナット４５ｂで取付けてある。
ダンパ１７は、ピストンロッド１７ａがシリンダ１７ｂから出ていく（下方向に移動する）際は無抵抗で移動し、シリンダ１７ｂに入り込む（上方向に移動する）際は抵抗を受けながら移動するように構成してある。
【００２０】
次に、引戸７の開閉動作について、開き動作及び閉じ動作に分けて説明する。まず、開き動作について説明する。  
図１３（ａ）に示すように、引戸７が全閉状態にあるとき、圧縮ばね１３は付勢力を放出して伸びた状態になっている。
全閉状態から引戸７を開き方向に移動していくと、被ガイド部１１はガイド上面５ｃに接しながら傾斜を下っていく。図１３（ｂ）の一点鎖線で抜き出した部分に示すように、被ガイド部１１がガイド上面５ｃの最下部近傍に移動するまでの間、被ガイド部１１は圧縮ばね１３によりガイド上面５ｃに圧接して移動する。被ガイド部１１が開き方向に移動する際にはガイド上面５ｃのみに圧接するので、被ガイド部１１とガイド下面５ｂとの間には僅かな隙間Ｓ３１が生じている。
この被ガイド部１１の移動に伴ってばね圧縮部１３ｂが下方向に移動して圧縮ばね１３を圧縮していくことで圧縮ばね１３は付勢力を蓄積していく。同時に、付勢力保持部１５の可動部１５ｂは、付勢力保持部１５の吸着部１５ａに近づいていく。さらに、ダンパ１７のピストンロッド１７ａは下方向に無抵抗で移動してシリンダ１７ｂから出ていく。
図１３（ｂ）に示すように、引戸７をさらに戸尻側に移動していき、被ガイド部１１がガイド上面５ｃの最下部近傍に差し掛かると、付勢力保持部１５の可動部１５ｂが付勢力保持部１５の吸着部１５ａに接触し、可動部１５ｂが吸着部１５ａに吸着する。これにより、吸着部１５ａ及び可動部１５ｂは圧縮ばね１３に蓄積した付勢力を保持する。
図１３（ｃ）に示すように、引戸７を図１３（ｂ）に示す位置よりもさらに戸尻側に移動しても可動部１５ｂと吸着部１５ａとの吸着状態は維持しており、圧縮ばね１３に蓄積されている付勢力を保持する。
【００２１】
次に、閉じ動作について説明する。  
図１４（ａ）に示すように、全開状態から全閉状態の手前の状態、即ち被ガイド部１１がガイド溝５ａに差し掛かる手前の状態では、可動部１５ｂと吸着部１５ａとの吸着状態は維持しており、圧縮ばね１３に蓄積されている付勢力を保持する。
図１４（ｂ）に示すように、被ガイド部１１がガイド溝５ａに差し掛かる手前の状態から、引戸７を閉じ方向に移動していくと、図１４（ｂ）の一点鎖線で抜き出した部分に示すように、被ガイド部１１がガイド下面５ｂの最下部近傍に接するようになる。このとき、被ガイド部１１とガイド上面５ｃとの間には僅かな隙間Ｓ３２が生じている。
そして、引戸７をさらに閉じ方向に移動すると、被ガイド部１１がガイド下面５ｂに押されて可動軸部２１を上方向に移動し、可動部１５ｂと吸着部１５ａとが離れて吸着状態が解除され、圧縮ばね１３に蓄積してある付勢力が解放される。そして、解放された付勢力により、ばね圧縮部１３ｂ、可動軸部２１及び可動部１５ｂが上方向に移動する。これにより、被ガイド部１１はガイド上面５ｃに沿って閉じ方向（戸先側）に移動するため、引戸７は自動的に閉じ方向に移動していく。このとき、ピストンロッド１７ａは抵抗を受けながら上方向に移動してシリンダ１７ｂに入り込むため、引戸７は緩やかに閉じ方向に移動して閉じる。
図１４（ｃ）に示すように、被ガイド部１１がガイド上面５ｃの最上部まで移動してきたとき、引戸７は全閉状態になる。このとき、圧縮ばね１３は付勢力を放出して伸びた状態になる。
この第４実施形態によれば、上述した第１実施形態と同様の作用効果を奏する。
【００２２】
以下に図１５を参照して本発明の第５実施形態を説明する。
第５実施形態では、第１実施の形態において、上枠３の戸先側と戸尻側の２箇所にガイド部材５を設けてある。戸尻側のガイド部材５のガイド下面５ｂは、開き方向に向けて下り坂になるように形成してある。この第５実施の形態では、ガイド下面５ｂが、被ガイド部１１が移動するガイドである。
【００２３】
引戸７を全閉状態から開く場合は、第１実施の形態の開き動作と同様である。即ち、戸先側のガイド部材５のガイド下面５ｂの最上部近傍に差し掛かるまでは圧縮ばね１３に付勢力を蓄積する。戸先側のガイド部材５のガイド下面５ｂの最上部近傍に被ガイド部１１が差し掛かると、付勢力保持部１５の可動部１５ｂ及び吸着部１５ａが吸着して圧縮ばね１３に蓄積した付勢力を保持する。
そして、さらに引戸７を開いていき全開状態になるときには、第１実施の形態の閉じ動作と動作方向が異なるだけであり、動作の内容は同じである。即ち、被ガイド部１１が戸尻側のガイド部材５のガイド上面５ｃに接触するようになり、可動部１５ｂと吸着部１５ａとが離れて保持していた付勢力が解放され、引戸７はダンパ１７による抵抗を受けながら自動的に開き方向に移動して全開状態になる。
【００２４】
全開状態から全閉状態にする場合は、被ガイド部１１が戸尻側のガイド部材５のガイド下面５ｂの最上部近傍まで移動していく際に、圧縮ばね１３に付勢力を蓄積する。戸尻側のガイド部材５のガイド下面５ｂの最上部近傍に被ガイド部１１が差し掛かると、可動部１５ｂ及び吸着部１５ａが吸着して圧縮ばね１３に蓄積した付勢力を保持する。そして、さらに引戸７を閉じていき、被ガイド部１１が戸先側のガイド部材５のガイド上面５ｃに接触するようになると、可動部１５ｂと吸着部１５ａとが離れて保持していた付勢力が解放され、引戸７はダンパ１７による抵抗を受けながら自動的に閉じ方向に移動して全閉状態になる。
この第５実施形態によれば、上述した第１実施形態と同様の作用効果を奏すると共に、引戸７を開くときだけでなく、引戸７を閉じるときも一定の力で引戸７を移動することができる。
また、上枠３の戸尻側にもガイド部材５を設けてあるため、引戸７を自動的に開ききることができる。さらに、ダンパ１７により、圧縮ばね１３の付勢力による引戸７の開き方向への移動を被ガイド部１１が付勢する方向に対して緩やかにすることができるので、引戸７を緩やかに開けることができる。
【００２５】
本発明は、上述した実施形態に限らず、本発明の要旨を逸脱しない範囲で種々変形可能である。
例えば、第３実施の形態のガイド下面５ｂに、第２実施形態にかかる湾曲面のガイド下面５ｂを用いても良い。また、第４実施の形態のガイド上面５ｃを第２実施形態のように湾曲面にすると共に下り坂の傾斜面となるように湾曲面を下方に突出した形状としてしても良い。
第３及び第４実施の形態において、第５実施の形態のように、上枠の戸先側と閉尻側との両方にガイド部材５を設けても良い。
第１、３〜５実施形態において、ガイド溝のガイド下面及びガイド上面の傾斜は穏やかに傾斜するものであれば、３段階や５段階に分けて良いし、何段階に分けて傾斜しても良い。
【符号の説明】
【００２６】
１  引戸装置
３  上枠（枠）
５ｂ  第１〜第３、第５実施の形態のガイド下面（ガイド）
５ｃ  第４実施の形態のガイド上面（ガイド）
７  引戸
１１  被ガイド部
１３  圧縮ばね（ばね）
１４  引張ばね（ばね）
【図１】
2020063642.tif 000003
【図２】
2020063642.tif 000004
【図３】
2020063642.tif 000005
【図４】
2020063642.tif 000006
【図５】
2020063642.tif 000007
【図６】
2020063642.tif 000008
【図７】
2020063642.tif 000009
【図８】
2020063642.tif 000010
【図９】
2020063642.tif 000011
【図１０】
2020063642.tif 000012
【図１１】
2020063642.tif 000013
【図１２】
2020063642.tif 000014
【図１３】
2020063642.tif 000015
【図１４】
2020063642.tif 000016
【図１５】
2020063642.tif 000017